(57)【要約】【課題】製作が簡単で意匠性を損なわずに安価に得られ、保守も容易なエレベータかご照明装置を提供する。【解決手段】エレベータのかご室２の天井３付近に水平方向に対向して設けられた一対の保持部材４と、これら一対の保持部材にそれぞれに保持された軸受部材５と、一端部がこれら一対の軸受部材の一方に、他端部が他方にそれぞれ回動可能に軸支された照明ユニット６とを備えるように構成したものである。製作や取付、保守が簡単容易で、照明ユニットを回動させることで異なる意匠を選択して用いることもできる。【選択図】図１
2007326697.tif 000002
【特許請求の範囲】
【請求項１】
エレベータのかご室の天井付近に対向して設けられた一対の保持部材と、これら一対の保持部材に設けられた軸受部材と、一端部がこれら一対の軸受部材の一方に、他端部が他方にそれぞれ回動可能に軸支された照明ユニットとを備えたことを特徴とするエレベータかご照明装置。
【請求項２】
上記軸受部材は上記保持部材に対して上下移動可能に保持されてなることを特徴とする請求項１に記載のエレベータかご照明装置。
【請求項３】
上記保持部材に固定され、上下方向に延在するガイド部によって上記軸受部材をガイドするガイド部材と、上記軸受部材を上方向に付勢する弾性部材と、上記軸受部材を上記ガイド部材に対して任意の位置で係止し得る位置決め手段と、上記軸受部材の上記ガイド部材に対する移動量を制限するストッパとを備えたことを特徴とする請求項２に記載のエレベータかご照明装置。
【請求項４】
上記軸受部材が下限位置にあることを検知する下限位置検知手段を備えたことを特徴とする請求項２または請求項３に記載のエレベータかご照明装置。
【請求項５】
上記照明ユニットの上記軸受部材に対する回転位置を検知する回転位置確認手段を備えたことを特徴とする請求項１ないし請求項４の何れかに記載のエレベータかご照明装置。
【請求項６】
上記保持部材と上記軸受部材の間に該軸受部材を水平方向に移動可能に保持する水平移動機構を備えたことを特徴とする請求項１ないし請求項５の何れかに記載のエレベータかご照明装置。
【請求項７】
上記照明ユニットは、上面及び下面の双方とも照明用の光を放射し得るものであることを特徴とする請求項１ないし請求項６の何れかに記載のエレベータかご照明装置。
【請求項８】
上記照明ユニットは、上面及び下面の任意の一方に反射板または遮光板を装着し得るものであることを特徴とする請求項１ないし請求項７の何れかに記載のエレベータかご照明装置。
【発明の詳細な説明】
【技術分野】
【０００１】
この発明は、保守を容易にしたエレベータかご照明装置に関する。
【背景技術】
【０００２】
従来のエレベータかご照明装置として、上天井の下側に光源体を設け、且つその下側に上面に模様をスクリン印刷し下面を鏡面仕上げした透明アクリル板よりなる中天井を設け、さらにその下側にハーフミラーよりなる下天井を設けると共に、中天井と下天井との空間周囲に鏡を配設して構成したものがある（例えば特許文献１参照。）。
【０００３】
【特許文献１】特開昭６０−９７１８８号公報（第１頁、第１図）
【発明の開示】
【発明が解決しようとする課題】
【０００４】
上記のような従来の照明装置は光天井と称し、パネルを箱状に組み内部に照明ランプを並べ、下面は乳白色のアクリル板を化粧目地で固定したもので、見た目は豪華であるが４面を組付けるために、接合や化粧目地の組立、平面度や直角度など調整を要する部分が多いので製作に手間が掛かり、価格も高くなる。また、据付後照明ランプを点灯すると光りむらが起ることもあり、そのような場合には修正に時間が掛かり、照明器具の交換を含む保守に手間も掛かるという課題があった。
【０００５】
この発明は上記のような従来技術の実情に鑑みてなされたもので、意匠性を損なわずに製作が簡単で安価に得られ、保守も容易なエレベータかご照明装置を提供することを目的としている。
【課題を解決するための手段】
【０００６】
この発明によるエレベータかご照明装置は、エレベータのかご室の天井付近に対向して設けられた一対の保持部材と、これら一対の保持部材にそれぞれ上下移動可能に保持された軸受部材と、一端部がこれら一対の軸受部材の一方に、他端部が他方にそれぞれ回動可能に軸支された照明ユニットとを備えたものである。
【発明の効果】
【０００７】
この発明においては、照明ユニットを軸受部材に対して両端部で回動可能に軸支する構造としたので照明ユニットの製造が容易であり、例えば工場で規格品として生産することもできる。しかも意匠性を損なうことがなく、照明ユニットの上下両面を選択的に使用することもできるので、意匠に多様性を持たせることも可能である。また、照明ユニットが回動可能であることにより、保守性も良好となる。
【発明を実施するための最良の形態】
【０００８】
実施の形態１．
図１〜図９はこの発明の実施の形態１に係るエレベータかご照明装置を説明するもので、図１は斜め下から見た全体構成を示す斜視図、図２は図１に示された軸受ユニットの取付部を示す断面図、図３は図２に示された軸受部材と共に照明ユニットを引下げた状態を示す要部側面断面図、図４は図３の状態における全体構成を示す側面図、図５（ａ）は軸受部材の垂直スライド機構を示す透視斜視図、図５（ｂ）は図５（ａ）のＡ部詳細図、図６は図５（ａ）のＶＩ−ＶＩ線におけるガイド部材の矢視断面図、図７（ａ）は図４に示すガイド部材部分を矢印ＶＩＩ方向から見た拡大正面図、図７（ｂ）は図７（ａ）のＢ部詳細図、図８は図１に示された照明ユニットを反射照明装置として用い、天井面に近い位置に固定した例を示す図、図９は図８の照明ユニットを天井面から離した位置に固定した例を示す図である。
【０００９】
図において、エレベータかご照明装置１は出入口枠２１と壁２２を有するかご室２の天井３にボルト７１によって固定された照明取付板兼カバーからなる水平方向に対向された一対の保持部材４と、この保持部材４にそれぞれ上下移動可能に保持された一対の軸受部材５と、一端部がこれら一対の軸受部材５の一方に、他端部が他方にそれぞれ回動可能に軸支された縦長（または横長）の照明ユニット６とからなっている。軸受部材５は、保持部材４に複数のボルト７１によって固定されたガイド部材７に対して上下にスライド可能に保持され、下端部に軸支承穴５ａが設けられている。ガイド部材７の一方の側面部には、図５（ａ）に示すように照明ユニット６を上下方向の所望の位置で固定するためのラック状ガイド７２が設けられ、略中央部には照明ユニット６の下方向への移動量を制限するためのストッパ７３が突設されている。なお、軸受部材５とガイド部材７で軸受ユニット５０を構成している
【００１０】
そして、軸受部材５には一端部が該軸受部材５のラック状ガイド７２に対応する側面部に固定され、他端部が該軸受部材５の側面部に設けられた角穴５ｂを挿通してラック状ガイド７２に係合された弾性材からなる位置決め部材５１と、該軸受部材５を下方向に下げたときにストッパ７３に当接することで下方向への脱落を阻止する係合片５２が設けられている。なお、ラック状ガイド７２と位置決め部材５１とで位置決め手段７０を構成している。また、軸受部材５の側方下部には止め金５３が突設され、この止め金５３と保持部材４に設けられた止め金４１との間に懸けられた引張りばねからなる弾性部材５４によって軸受部材５は上方向に付勢され、照明ユニット６を取付けたときに小さい押上げ荷重で操作できるように構成されている。
【００１１】
照明ユニット６の両端部には図５に示すように中心部にねじ穴６１ａを有する軸６１が突設され、この軸６１を軸受部材５の軸支承穴５ａに挿通した後、ねじ穴６１ａに、軸受部材５の裏側からワッシャ６１ｂを装着した固定ボルト６１ｃを締結することで、照明ユニット６は保持部材４に対して時計方向または半時計方向に１８０度回動可能に保持されている。なお、照明ユニット６にはソケット６２、複数の照明ランプ６３、及び図示省略している点灯回路、電源に接続するための配線カプラなどが内蔵され、上部が開放され下部が例えば反射板などの照明板からなっている。さらにこの実施の形態１では、照明ユニット６に突設された軸６１の基部外周面には図７に示すようにカム６１ｄが形成され、軸受部材５に取付けられた回転位置確認手段（スイッチ）６４の検知子がカム６１ｄの周面に常時当接して、照明ユニット６が水平以外にあることを検知できるように構成されている。
【００１２】
さらに、ガイド部材７のストッパ７３近傍には、軸受部材５に設けられた係合片５２がストッパ７３に当接したことを検知する下限位置検知手段（スイッチ）７４（図７に図示）が設けられ、回転位置確認手段６４と、下限位置検知手段７４による検知結果が図示省略している監視盤に表示されるように構成されている。なお、図８、図９において、照明ランプ６３から出射された光Ｃは天井３面を照射し、この例では間接照明が行なわれることを示している。
【００１３】
次に、上記のように構成された実施の形態１の動作について説明する。先ず、照明取付板兼カバーからなる一対の保持部材４を図２に示すようにかご室２の天井３部分に水平方向に対向するように取付け固定した後、各保持部材４に軸受ユニット５０のガイド部材７をそれぞれボルト７１で取付ける。次に、図３に示すように軸受ユニット５０の軸受部材５を引下げ、図５に示すように照明ユニット６の前後の軸６１を軸受部材５の軸支承穴５ａに挿通した後、ねじ穴６１ａに、軸受部材５の裏側からワッシャ６１ｂを装着した固定ボルト６１ｃを締結する。これで照明ユニット６は取付け完了するので、後は図示省略した配線カプラを接続施工すれば取付完了である。照明ランプ６３を点灯して、上下方向の位置をガイド部材７に対して軸受部材５を上下させ所望の位置に係止させて用いる。
【００１４】
この例のように反射照明ならば天井３面に照明ユニットを近ければ局部的に明るく（図８）、反対に天井３面から離せば柔らかな明るさになる（図９）など、高さを任意に調整できる。また、照明ランプ６３を交換するとき、照明板を意匠が異なるものに切替えるとき、あるいはエレベータが非常停止して乗客をかご室２の屋根上へ救出するときなどには、照明ユニット６をガイド部材７に沿って引下げると共に回動させてスペースを確保することで作業が行なわれる。また、悪戯などで照明ユニット６の引下げや回動が行なわれたときには、回転位置確認手段６４あるいは下限位置検知手段７４が作動して、図示省略している監視盤等に表示されることで遠隔管理することもできる。
【００１５】
上記のようにこの実施の形態１によれば、それぞれ軸受ユニット５０を取付けた一対の保持部材４を天井３部に取付けた後、軸受部材５をガイド部材７に対してスライドさせて引下げ、照明ユニット６の前後２箇所の軸６１を、軸支承穴５ａに軸支させることで取付けられるので、取付け作業が簡単かつ容易である。また、照明ランプの交換などの保守に際しても、例えば引掛け棒等で照明ユニット６を引下げることで作業できるので、脚立に乗らなくても済むというメリットもある。また、照明ユニット６は軸受部材５を上下方向の任意の位置に固定できるので、天井３からの距離を所望の位置に変えることができ、最適な照明照射位置とすることができる。また、例えば従来の光り天井が経年変化で古くなって照明装置一式をリフォームで取替える場合などにも、取付けが簡単である。
【００１６】
実施の形態２．
図１０及び図１１はこの発明の実施の形態２によるエレベータかご照明装置の要部を説明するもので、図１０は透視斜視図、図１１は図１０のＸＩ−ＸＩ線における矢視断面図である。図において、エレベータかご照明装置１Ａは、実施の形態１と同様の軸受ユニット５０を構成するガイド部材７を備え、該ガイド部材７は、保持部材４に固定された水平ガイド枠８１に保持されつつガイドされて水平方向に自在に移動する水平スライド部材８２にボルト７１で固定されている。なお、上記水平ガイド枠８１と水平スライド部材８２で水平移動機構８を構成している。その他の構成は実施の形態１と同様であるので説明を省略する。
【００１７】
上記のように構成された実施の形態２では、照明ユニット６を取付けている軸受部材５がガイド部材７に対して上下方向に自在に移動できると同時に、ガイド部材７が水平移動機構８によって水平方向に自在に移動できることにより、照明ユニット６は垂直移動と水平移動が可能となり、照明ランプ６３を点灯させた上で照射光の明るさと広がりを照明ユニット６の垂直位置と水平位置を変えることで変化させ、好みの照射状態にすることができる。また照明ユニット６の意匠的に最適なバランス位置とすることもできる。このように、かご室２の照明ランプ６３を点灯した状態で照明ユニット６と天井３面との距離および照明ユニット６の横方向の位置も調整することができることにより、需要家の種々の好みにも広く対応することができる。なお、水平スライド部材８２が振動等で左右に移動しないように、ラック状ガイド７２と同様の多段階係止手段（図示省略）を設けても良い。
【００１８】
実施の形態３．
図１２、図１３はこの発明の実施の形態３によるエレベータかご照明装置の要部を説明するもので、図１２は斜め下から見た第１の状態を示す斜視図、図１３は斜め下から見た第２の状態を示す斜視図である。この実施の形態３は照明ユニット６Ａの上面と下面に互いに異なる意匠の照明板を備えたものである。図において、照明ユニット６Ａは、図１２に示す第１の状態においては、模様付きアクリル板からなる照明板６５が下方を向くように固定され、図１３に示す第２の状態においては、照明ユニット６Ａを第１の状態から１８０度回動させ、照明板６５の反対側に設けられたアクリルブロックからなる照明板６６が下方を向くように固定したものである。本例では照明ユニット６Ａを反転することで異なる意匠の照明に切り替えできるようにしたものである。その他の構成は実施の形態２と同様である。
【００１９】
上記のように構成された実施の形態３によれば、例えば昼は事務所ビルにふさわしい照明とし、夜は飲食街としての意匠の照明に切替えることなどができる。また季節の移り変わりに合わせた意匠に切替えることや、入社式や式典などのイベントに合わせて意匠を簡単に変更することができる。なお、切替えや変更のために、照明板（アクリル）の着脱が簡単に行なえるようにすることは好ましい。また、予め模様の違う所望の種類の照明板を用意して例えば季節などに合わせて変える様にしても良い。特に図１２、図１３では図示省略している上下・水平方向のスライド機構で照明ユニット６Ａを適宜の位置に下げたり、横移動ができるので、脚立に乗らず安全に照明板や照明ランプの交換作業を行なうこともできる。
【００２０】
実施の形態４．
図１４、図１５はこの発明の実施の形態４によるエレベータかご照明装置の要部を説明するもので、図１４は上面と下面とで互いに異なる意匠の照明板を備えた照明ユニットを示す側面断面図、図１５は図１４の照明ユニットの背面に反射板兼遮光カバーを取付けた状態を示す側面断面図である。図において、照明ユニット６Ｂの両側面上下には、それぞれ反射板兼遮光カバー６７を取付けるための取付け構６ａが設けられている。図の上面部には図１２と同様の模様付きアクリル板６５がアクリル押え目地６ｂとねじ６ｃで固定され、反対側の図の下面部には図１３と同様のアクリルブロック６６が装着されている。その他の構成は実施の形態２と同様である。
【００２１】
上記のように構成された実施の形態４においては、照明ユニット６Ｂの上面と下面の照明板の何れかを選択して適用したとき、背面から光が逃げないように図１５のように背面に反射板兼遮光カバー６７を被せられるようにしたものである。反射板兼遮光カバー６７は照明ユニット６Ｂの側面に設けられた取付け構６ａに例えば湾曲させて嵌め込むようにして固定する。この実施の形態４では、照明ユニット６Ｂの両面が照明板からなるため、背面側から光が逃げるのを嫌う場合に、このように背面側に反射板兼遮光カバー６７を被せることで、下面側に光を集中させることができる。
【００２２】
実施の形態５．
図１６はこの発明の実施の形態５によるエレベータかご照明装置を旧照明装置のリフォームに用いた例を説明するもので、（ａ）は旧照明装置を概念的に示す側面図、（ｂ）は旧照明装置を取外した後の清掃または塗工工程を説明する図、（ｃ）は保持部材と軸受ユニットを取付けた状態を示す側面図である。図において、天井３部を構成する天井前板３１、天井後板３２、及び天井側板３３で囲まれた部分には、照明ランプ３０ａ、照明箱３０ｂ、化粧目地３０ｃ、乳白アクリル板３０ｄなどからなる旧照明装置３０が取付けられている。まず、図１６（ａ）に示す旧照明装置３０を取外す。次に、図１６（ｂ）に示すように天井３部を洗浄する。汚れのひどい場合は、例えば白色系の塗料を塗布する。塗料乾燥後、例えば実施の形態１と同様の軸受ユニット５０を取付けた保持部材４Ａ、４Ｂを天井３に取付ける。
【００２３】
その後は、軸受ユニット５０に対して実施の形態１と同様に図示省略している照明ユニットを軸支させ、図示省略している配線カプラを接続施工すれば交換完了である。
従来のような照明装置一式をリフォームで取替える場合においては、まず代替の照明ケースを製作した後に取替えなければならず、現地で実測し工場で製作する過程を経るため大変な時間と労力が掛かり、しかもエレベータの休止期間が長くなるという問題があったが、この実施の形態５のような単純形状の前板と後板からなる保持部材４Ａ、４Ｂのみ製作して、あとは工場で量産できるガイド部材付きの軸受ユニット５０と照明ユニットを組合わせれば良いため、生産の標準化も可能である。
【００２４】
実施の形態６．
図１７、図１８はこの発明の実施の形態６によるエレベータかご照明装置を説明するもので、図１７は救出口がかごの中央にある場合の救助動作を説明する図、図１８は救出口がかごの端にある場合の救助動作を説明する図である。図１７において、救出口開閉扉３４は天井３の中央部に設けられ、その前後に実施の形態１と同様のエレベータかご照明装置１が１台ずつ設けられている。何らかの異常で天井３部から乗客の救出を必要とする事態になった場合、図示していない救助者が天井３の上から救出口開閉扉３４を開き、照明ユニット６を図１７（ａ）に示すように２台共９０度回動させて救出スペースを確保した後、救出用梯子９を下ろし、乗客Ｍを図１７（ｂ）のように順次救出する。なお、照明ユニット６は商用電源あるいは非常用電源が生きている限り点灯を継続することができる。
【００２５】
一方、救出口がかごの端にある場合には、図１８に示すように実施の形態２と同様の上下左右に移動可能なエレベータかご照明装置１Ａが好ましく用いられる。先ず、天井３の上から救出口開閉扉３４Ａを開き、救出口側の照明ユニット６を矢印Ｄに示すように水平ガイド枠８１に沿って移動させると共に、９０度回動させて救出用のスペースを確保する。その後、図１８のように救出用梯子９を下ろし、乗客Ｍを順次救出する。なお、かご室の照明装置をリフォームする場合、元のかご室の救出口がかごの中央にあるのか、または端にあるのか不明であるが、この発明の場合は照明ユニット６が上下移動可能なものと、左右方向にも移動可能なものとを適宜選択できるので、多くの要求に対応することが容易である。
【００２６】
上記のように、この実施の形態６によれば、従来のエレベータかご照明装置をリフォームする場合においても、救出口の設置位置が何処にあっても対応させることができるという効果が得られる。
なお、上記各実施の形態の説明では軸受部材５を上下に移動可能に構成した場合について説明したが、必ずしもこれに限定されるものではなく、例えば照明ユニット６が常時回動可能な高さで取付けられる場合などにおいては、上下の移動機構を省略しても差し支えない。また、その場合、軸受部材５は保持部材４と兼用したものとしても良い。さらに、照明ユニット６は、軸受部材５に対して水平位置で確実に固定するため、例えばボルト止めなどによる適宜の固定手段を付加しても差し支えない。また、照明ユニット６に設けた軸６１と、軸受部材５に設けた軸支承穴５ａは、互いに設置箇所を逆にすることができるなど、適宜に変更しても差し支えない。
【図面の簡単な説明】
【００２７】
【図１】この発明の実施の形態１に係るエレベータかご照明装置を斜め下から見た全体構成を示す斜視図。
【図２】図１に示された軸受ユニットの取付部を示す断面図。
【図３】図２に示された軸受部材と共に照明ユニットを引下げた状態を示す要部側面図。
【図４】図３の状態における全体構成を示す側面図。
【図５】（ａ）は軸受部材の垂直スライド機構を示す透視斜視図、（ｂ）は図５（ａ）のＡ部詳細図。
【図６】図５（ａ）のＶＩ−ＶＩ線におけるガイド部材の矢視断面図。
【図７】（ａ）は図４に示すガイド部材部分を矢印ＶＩＩ方向から見た拡大正面図、（ｂ）は図７（ａ）のＢ部詳細図。
【図８】図１に示された照明ユニットを反射照明装置として用い、天井面に近い位置に固定した例を示す図。
【図９】図８の照明ユニットを天井面から離した位置に固定した例を示す図。
【図１０】この発明の実施の形態２によるエレベータかご照明装置の要部を説明する透視斜視図。
【図１１】図１０のＸＩ−ＸＩ線における矢視断面図。
【図１２】この発明の実施の形態３によるエレベータかご照明装置を斜め下から見た第１の状態を示す斜視図。
【図１３】図１２のエレベータかごの照明装置を斜め下から見た第２の状態を示す斜視図。
【図１４】この発明の実施の形態４によるエレベータかご照明装置の上面と下面に異なる意匠の照明板を備えた照明ユニットを示す側面断面図。
【図１５】図１４の照明ユニットの背面に反射板兼遮光カバーを取付けた状態を示す側面断面図。
【図１６】この発明の実施の形態５によるエレベータかご照明装置を旧照明装置のリフォームに用いた例を説明するもので、（ａ）は旧照明装置を概念的に示す側面図、（ｂ）は旧照明装置を取外した後の清掃または塗工工程を説明する図、（ｃ）は保持部材と軸受ユニットを取付けた状態を示す側面図。
【図１７】この発明の実施の形態６によるエレベータかご照明装置において、救出口がかごの中央にある場合の救助動作を説明する図。
【図１８】この発明の実施の形態６によるエレベータかご照明装置において、救出口がかごの端にある場合の救助動作を説明する図。
【符号の説明】
【００２８】
１、１Ａ  エレベータかご照明装置、  ２  かご室、  ３  天井、  ４、４Ａ、４Ｂ  保持部材、  ５  軸受部材、  ５ａ  軸支承穴、  ５０  軸受ユニット、  ６、６Ａ、６Ｂ  照明ユニット、  ６１  軸、  ７  ガイド部材、  ７０  位置決め手段、  ８  水平移動機構、  ８１  水平ガイド枠、  ８２  水平スライド部材。
【図１】
2007326697.tif 000003
【図２】
2007326697.tif 000004
【図３】
2007326697.tif 000005
【図４】
2007326697.tif 000006
【図５】
2007326697.tif 000007
【図６】
2007326697.tif 000008
【図７】
2007326697.tif 000009
【図８】
2007326697.tif 000010
【図９】
2007326697.tif 000011
【図１０】
2007326697.tif 000012
【図１１】
2007326697.tif 000013
【図１２】
2007326697.tif 000014
【図１３】
2007326697.tif 000015
【図１４】
2007326697.tif 000016
【図１５】
2007326697.tif 000017
【図１６】
2007326697.tif 000018
【図１７】
2007326697.tif 000019
【図１８】
2007326697.tif 000020